(57)【要約】【課題】容器内の手製爆薬を迅速かつ低誤報で検出する方法を提供する。【解決手段】容器載置部４に置かれた容器２から発生する試料ガスを吸引し、イオン源で試料ガスのイオンを生成し、質量分析する。得られた質量スペクトルから手製爆薬に由来する質量スペクトルの有無を判定し、その結果を表示部７に表示することで、容器内の手製爆薬や容器表面に付着した手製爆薬を迅速かつ低誤報で検出する。【選択図】図１
2011085484.tif 000002
【特許請求の範囲】
【請求項１】
検査する容器を置く容器載置部と、
前記容器載置部に開口した吸気部と、
前記吸気部から試料ガスを吸引する吸引部と、
前記吸引された試料ガスをイオン化するイオン源と、
前記イオン源で生成されたイオンを質量分析する質量分析部と、
前記イオン源と前記質量分析部を制御する制御部と、
手製爆薬に由来する質量スペクトルデータを保持するデータベース部と、
前記質量分析部による前記試料ガスの質量分析結果と前記データベース部に保持された質量スペクトルデータとを照合して手製爆薬の有無を判定する判定部と、
前記判定部の判定結果を表示する表示部と
を備えることを特徴とする危険物検査装置。
【請求項２】
請求項１に記載の危険物検査装置において、前記イオン源はコロナ放電によってイオンを生成することを特徴とする危険物検査装置。
【請求項３】
請求項１又は２に記載の危険物検査装置において、前記判定部は、前記試料ガスから質量電荷比３３，４３，７５，７７のうち少なくとも１つの質量電荷比を有するイオンが検出された場合に、トリアセトントリパーオキサイドが検出されたと判定することを特徴とする危険物検査装置。
【請求項４】
請求項１又は２に記載の危険物検査装置において、前記判定部は、前記試料ガスから質量電荷比１４５，１７９，２０９のうち少なくとも１つの質量電荷比を有するイオンが検出された場合に、ヘキサメチレントリパーオキサイドジアミンが検出されたと判定することを特徴とする危険物検査装置。
【請求項５】
請求項１又は２に記載の危険物検査装置において、前記判定部は、前記試料ガスから質量電荷比６６，７７のうち少なくとも１つの質量電荷比を有するイオンが検出された場合に、過酸化水素が検出されたと判定することを特徴とする危険物検査装置。
【請求項６】
請求項１又は２に記載の危険物検査装置において、前記吸気部と前記イオン源とは試料導入配管で接続され、前記試料導入配管は５０℃〜１５０℃に加熱されることを特徴とする危険物検査装置。
【請求項７】
請求項１又は２に記載の危険物検査装置において、前記吸気部と前記イオン源とは並列に配置された第１の試料導入配管と第２の試料導入配管で接続され、前記第１の試料導入配管は５０℃〜１２０℃に加熱されることを特徴とする危険物検査装置。
【請求項８】
検査する容器を置く容器載置部と、
前記容器載置部に開口した吸気部と、
前記吸気部から試料ガスを吸引する吸引部と、
前記吸引された試料ガスをイオン化するイオン源と、
前記イオン源で生成されたイオンを質量分析する質量分析部と、
前記イオン源と前記質量分析部を制御してタンデム質量分析を行う制御部と、
手製爆薬に由来するフラグメント質量スペクトルデータを保持するデータベース部と、
前記質量分析部による前記試料ガスのタンデム質量分析結果と前記データベース部に保持されたフラグメント質量スペクトルデータとを照合して手製爆薬の有無を判定する判定部と、
前記判定部の結果を表示する表示部と
を備えることを特徴とする危険物検査装置。
【請求項９】
請求項８に記載の危険物検査装置において、前記イオン源はコロナ放電によってイオンを生成することを特徴とする危険物検査装置。
【請求項１０】
請求項８又は９に記載の危険物検査装置において、質量電荷比１４５のイオンをプリカーサーイオンとしてタンデム質量分析を行い、フラグメント質量スペクトルに質量電荷比１１７のイオンが検出された場合に、前記判定部は、ヘキサメチレントリパーオキサイドジアミンが検出されたと判定することを特徴とする危険物検査装置。
【請求項１１】
請求項８又は９に記載の危険物検査装置において、質量電荷比６６のイオン及び質量電荷比７７イオンの両方又は片方をプリカーサーイオンとしてタンデム質量分析を行い、質量電荷比６６のイオンがプリカーサーイオンの場合にフラグメント質量スペクトルに質量電荷比４８のイオンが検出され、質量電荷比７７のイオンがプリカーサーイオンの場合にフラグメント質量スペクトルに質量電荷比６０のイオンが検出された場合に、前記判定部は過酸化水素が検出されたと判定することを特徴とする危険物検査装置。
【請求項１２】
請求項８又は９に記載の危険物検査装置において、質量電荷比７５のイオンをプリカーサーイオンとしてタンデム質量分析を行い、質量電荷比７５のイオンがプリカーサーイオンの場合にフラグメント質量スペクトルに質量電荷比４８のイオンが検出された場合に、前記判定部はトリアセトントリパーオキサイドが検出されたと判定することを特徴とする危険物検査装置。
【請求項１３】
請求項８又は９に記載の危険物検査装置において、前記吸気部と前記イオン源とは試料導入配管で接続され、前記試料導入配管は５０℃〜１５０℃に加熱されることを特徴とする危険物検査装置。
【請求項１４】
請求項８又は９に記載の危険物検査装置において、前記吸気部と前記イオン源とは並列に配置された第１の試料導入配管と第２の試料導入配管で接続され、前記第１の試料導入配管は５０℃〜１２０℃に加熱され、前記第２の試料導入配管は１００℃〜１５０℃に加熱されることを特徴とする危険物検査装置。
【請求項１５】
検査する容器から発生する試料ガスを吸引する工程と、
前記試料ガスをイオン化する工程と、
前記イオン化されたイオンを質量分析する工程と、
前記質量分析の結果得られた質量スペクトルとデータベースに保持された手製爆薬に由来する質量スペクトルデータとを照合する工程と、
前記照合結果に基づいて手製爆薬の成分物質の存在の有無を判定する工程と
を有することを特徴とする危険物検査方法。
【発明の詳細な説明】
【技術分野】
【０００１】
本発明は、爆発物を用いたテロや犯罪を防止するセキュリティ技術に係わる。
【背景技術】
【０００２】
世界的にテロの脅威が増している。最近では、日用品を用いた爆薬の製造方法が広く知られるようになり、日常生活においても爆発物によるテロや犯罪が脅威となってきた。ロンドンでは地下鉄とバスを狙った、同時多発テロが発生し多数の死傷者が出た。また、報道によれば、日本国内でも通勤電車内で自爆テロを企てた容疑者が逮捕されるなどの事例が発生している。
【０００３】
テロや犯罪を未然に防止するため、危険物探知技術の開発が各国で行われている。例えば特開２０００−２８５７９号公報には、質量分析計を用いた爆発物探知装置が記載されている。荷物から漏洩した蒸気をサンプリングプローブにより採取し、それを負のコロナ放電を用いてイオン化し、質量分析計を用いて検出することにより、危険物の有無を判定している。
【０００４】
また、ガソリンなどの危険な液体を航空機内等に持ち込ませないようにするため、液体検査装置も開発されている。例えば特開２００８−１５７６８５号公報には、液体の入った容器の重量と誘電率とを計測し、各々が基準値から外れていた場合に危険物であると判定して警報を作動させる。
【先行技術文献】
【特許文献】
【０００５】
【特許文献１】特開２０００−２８５７９号公報
【特許文献２】特開２００８−１５７６８５号公報
【発明の概要】
【発明が解決しようとする課題】
【０００６】
特許文献１に記載の従来技術は、主に軍用の爆薬や発射薬、工事現場などで使用される産業用爆薬の探知を目的にしている。しかしながら、これらの軍用爆薬や産業用爆薬は、各国でテロ対策が強化された結果、より厳重に管理されるようになってきた。従って、紛争地帯を除き、犯罪者がこれらの爆薬を入手することは困難となっている。
【０００７】
このため、最近特に問題となっているのは、手製爆弾によるテロや犯罪である。手製爆弾に使用する手製爆薬は日用品を原料として合成され、その製造方法がインターネットを介して広く知られるようになり、世界的に使用される傾向にある。これらの手製爆薬を迅速に検査する方法が求められている。
【０００８】
また、手製爆薬において、液体状の物質を航空機内に持ち込んで飛行中に爆発させる計画であったテロ未遂事件も発生した。この事件以後、航空機内に持ち込む手荷物中の液体状、ゲル状物質が規制されるようになった。現在のところ、これらの液体状、ゲル状物質の検査には目視及び臭気による検査員の判断が必要である。しかしながら、検査員は、迅速な検査が求められるなかで、正確に物質を見分けることは困難である。また、容器の内容物を入れ替えたり、密閉したりした場合は検査が困難になる。
【０００９】
そこで、特許文献２のように、ガソリンなどの危険な液体を航空機内等に持ち込ませないようにするため、液体検査装置も開発されている。しかし、この方法では、容器の種類と内容物の重量を読み取る必要があり、その分、検査に時間がかかってしまい、迅速な検査は困難である。
【００１０】
また、特許文献１に記載されたような従来の爆発物探知機は主に空港や重要施設での運用を前提に考え、比較的少ない人数を検査する目的で考えられている。駅などの旅客が大量に利用する大量輸送機関で使用する上では、短時間で検査できる高スループットと、爆発物を所持していないのに探知機が反応してしまう誤報率を下げることの二つが重要である。特に、誤報が発生すると検査員による入念な手荷物検査が必要になり、高スループットにも影響する。したがって、誤報が発生した場合には、迅速な検査は困難である。
以上のような理由で、手製爆薬を迅速かつ低誤報で検査する方法が求められている。
【課題を解決するための手段】
【００１１】
本発明は、容器内の危険物を迅速かつ低誤報で検査する危険物検査装置を提供する。容器の内容物を手製爆薬に入れ替えても、フタ部分からは微量の手製爆薬成分のガスが発生する。この微量のガスを吸引し、高感度かつ高選択性の質量分析計で分析することでガス成分を特定することが可能になる。また、手製爆薬を扱った場合、容器の表面に手製爆薬の微粒子が付着する可能性もある。この微粒子から発生する微量のガスを吸引、あるいは微粒子自身を吸引し、ガス化して質量分析することでも、ガス成分を特定することが可能になる。
【００１２】
本発明の危険物検査装置は、一例として、検査する容器を置く容器載置部と、容器載置部に開口した吸気部と、吸気部から試料ガスを吸引する吸引部と、吸引された試料ガスをイオン化するイオン源と、イオン源で生成されたイオンを質量分析する質量分析部と、イオン源と質量分析部を制御する制御部と、手製爆薬に由来する質量スペクトルデータを保持するデータベース部と、質量分析部による試料ガスの質量分析結果とデータベース部に保持された質量スペクトルデータとを照合して手製爆薬の有無を判定する判定部と、判定部の判定結果を表示する表示部とを備える。
【発明の効果】
【００１３】
本発明によれば、容器内物質の高精度な検査が容易になることで、迅速かつ低誤報での検査が可能になる。したがって、空港の手荷物検査だけでなく、各種イベントや駅などの集客施設での検査も可能になり、よりテロや犯罪のリスクを軽減し、安全な社会の構築に寄与することができる。
【図面の簡単な説明】
【００１４】
【図１】本発明による容器内物質の検査装置の一例を示す概略図である。
【図２】本発明による容器内物質の検査装置の内部構成の一例を示す図である。
【図３】データベースの一例を示す説明図である。
【図４】本発明による手製爆薬検出の処理手順の一例を示す図である。
【図５】質量分析部の一例を示す図である。
【図６】本発明の検査装置で測定されたトリアセトントリパーオキサイドの質量スペクトルの一例を示す図である。
【図７】本発明の検査装置で測定されたヘキサメチレントリパーオキサイドジアミンの質量スペクトルの一例を示す図である。
【図８】本発明の検査装置により得られた過酸化水素の質量スペクトルの一例を示す図である。
【図９】本発明の検査装置によりヘキサメチレントリパーオキサイドジアミンをタンデム質量分析した質量スペクトルの一例を示す図である。
【図１０】本発明の検査装置により過酸化水素のｍ／ｚ＝６６のイオンをタンデム質量分析した質量スペクトルの一例を示す図である。
【図１１】本発明の検査装置により過酸化水素のｍ／ｚ＝７７のイオンをタンデム質量分析した質量スペクトルの一例を示す図である。
【図１２】本発明の検査装置により容器中の過酸化水素をタンデム質量分析で検出した一例を示す図である。
【図１３】本発明の検査装置により容器中の過酸化水素をタンデム質量分析で検出した一例を示す図である。
【図１４】検査装置に設置した複数の試料導入配管の一例を示す図である。
【図１５】複数の吸気部と複数の試料導入配管を有する検査装置の一例を示す説明図である。
【発明を実施するための形態】
【００１５】
以下、本発明の実施の形態について、図を用いて詳細に説明する。なお、ここで説明する装置構成や処理動作の内容は本発明の具体化の一例であり、それと既知の技術との組み合わせや置換による変形例も本発明の範囲に含まれる。
【００１６】
（Ａ）第一の実施の形態
以下、本発明の第一の実施の形態について説明する。図１は、本実施形態の容器内物質の検査装置の一例を示す概略図である。検査装置１の前面には容器２を置く容器載置部が設けられている。容器載置部には、大きい容器用の容器載置部（大）３がある。容器載置部（大）３は、例えばペットボトルの場合、５００ｍＬ容器を想定しているが、これより大きな容器を置くことができてもよい。また、容器載置部には小さい容器用の容器載置部（小）４もあり、小さい容器も置けるような構造になっている。小さい容器としては、例えばペットボトルの場合、３５０ｍＬ容器を想定しているが、これより小さい容器を置くことができてもよい。本実施例では大きな容器と小さな容器の２種類の容器を想定しているが、容器載置部は３種類以上の容器がおける形状になっていてもよい。また、本実施例では、容器としてペットボトルを例としているが、本発明の検査装置は、アルミやガラス製の容器、紙パックやプラスチックチューブ等の液体又はジェル、固体を入れる容器にも適用可能である。本発明の検査装置は、容器のフタ部分や継ぎ目などから漏れ出す極微量のガス成分や、容器表面に付着している微粒子も検出可能である。
【００１７】
容器載置部への容器２の置き方は、水平に倒したり、垂直に立てたりして置くようにしてもよいが、斜めに置く構造とすると、手で置き易く、また、容器の内容物がこぼれることを防ぐことができる。容器載置部の壁面には、容器内あるいは容器の表面に付着した手製爆薬成分のガスや微粒子を装置内に吸引する吸気部５が開口している。吸気部５から、容器２のフタ部分から漏れ出す手製爆薬のガスや容器表面に付着した手製爆薬の微粒子からのガスや微粒子自身を装置内に吸引する。図１には吸気部５が１つの場合を図示しているが、吸気部５は複数あってもよい。容器２のフタ部分が吸気部５の位置にくるように、フタ合わせ位置マーク６で容器を置く場所を表記している。大きい容器であっても小さい容器であっても、容器載置部に置かれたとき容器のフタが吸気部５の近くに位置するように、容器載置部（大）３と容器載置部（小）４の位置や形状が設計されている。図示の例の場合、容器載置部（小）４は容器載置部（大）３の載置面の上側の部分に一段深く設けられた凹みとして構成されている。
【００１８】
吸気部５から吸引したガス及び微粒子を含む試料ガスを分析することで、手製爆薬成分の有無を判定し、結果を表示部７に表示する。容器を容器載置部に置いてから結果が表示されるまで時間は、検出対象物質の蒸気圧で変化するが、比較的蒸気圧が高い手製爆薬の場合、１秒以下から数秒以下で結果を表示することが可能である。また、軍用爆薬のような蒸気圧が低い物質の場合には、数秒以下から１０秒以下で結果を表示することが可能である。
【００１９】
本実施例では、吸気部５から吸引したガス及び微粒子からなる試料ガスの分析を行っているが、合わせて近赤外光による容器内容物の分光分析や液体の誘電率を分析する方法等の別の方法も同時にあるいは個別に行ってもよい。
【００２０】
図２は、本実施形態の容器内物質の検査装置の内部構成の一例を示す図である。大きい容器２は、検査装置１の容器載置部（大）３の凹みに置くことで、容器２のフタ部分が吸気部５の位置にくる。一方、小さい容器の場合には、容器を容器載置部（小）４の凹みに置くことで、同様に容器２のフタ部分が吸気部５の位置にくる。このように、容器の大きさに係らずフタ部分が吸気部５の位置にくるようになっている。吸気部５の前面には粗メッシュ状フィルタ８が付けられていて、大きな埃が入ったり、指を吸気部５に入れたりすることを防ぐ。粗メッシュ状フィルタ８には、例えば金網メッシュ（開き目０．５ｍｍ、開孔率５０％）を用いた。この粗メッシュ状フィルタ８は交換可能であり、埃が詰まった場合には清掃して再利用するか、新品と交換する。
【００２１】
ガス及び微粒子を含む容器２のフタ付近の空気は、吸気部５から試料導入配管１７を介して吸引ポンプ１２によって吸引され、イオン源１１に導入される。吸引ポンプ１２の吸引流量は、例えば２．０Ｌ／ｍｉｎである。この吸引流量であれば１秒以下で容器のフタ付近の空気をイオン源に導入することが可能である。また、さらに吸引流量を増やすあるいは減らしてもよい。試料導入配管１７は、配管ヒータ９で加熱して配管内部へのガスや微粒子の吸着を防ぐ。また、手製爆薬成分を検出した場合や吸気部５又は試料導入配管１７が汚れてしまった場合には、次の検査が早期に行えるように加熱クリーニングすることもできる。配管ヒータ９は、最高温度３００℃まで加熱可能であるが、手製爆薬の場合、加熱による熱分解が起こるため、７０〜１２０℃の間で使用することが望ましいが、５０℃〜１５０℃でもよい。例えば、ＴＡＴＰ（トリアセトントリパーオキサイド）の場合、試料導入配管１７を７０℃に加熱することで最大の検出感度が得られるが、５０℃〜１５０℃の温度範囲であればＴＡＴＰの検出は可能である。一方、ＨＭＴＤ（ヘキサメチレントリパーオキサイドジアミン）の場合には、試料導入配管１７を１２０℃に加熱することで最大の検出感度が得られるが、５０℃〜１５０℃の温度範囲であればＨＭＴＤの検出は可能である。例えば、試料導入配管１７を１５０℃に加熱した場合は、最大感度より感度は低下するがＴＡＴＰの検出は可能であり、逆に試料導入配管１７を５０℃に加熱した状態でＨＭＴＤを検出することも可能である。また、中間の加熱温度、例えば１００℃にすれば、ＴＡＴＰとＨＭＴＤの両方をある程度の感度で検出することも可能である。
【００２２】
試料導入配管１７に細メッシュ状フィルタ１０を設けることで、この細メッシュ状フィルタ１０に微粒子が付着する。細メッシュ状フィルタ１０は配管ヒータ９で加熱されているため、付着した微粒子がガス化されて試料ガスとなる。また、細メッシュ状フィルタ１０は、粗メッシュ状フィルタ８で捕集できなかった埃でイオン源１１が汚されることを防ぐ役割もある。細メッシュ状フィルタ１０には、例えば５０μｍｍのステンレス鋼線フィルタや焼結体フィルタを用いるとよい。この細メッシュ状フィルタ１０も粗メッシュ状フィルタ８と同様に、必要に応じて清掃して再利用したり、新品と交換したりすることができる。また、細メッシュ状フィルタ１０は、微粒子をガス化するために個別に加熱してもよい。
【００２３】
イオン源１１は、例えば特開２０００−２８５７９号公報に記載されている、負のコロナ放電あるいは正のコロナ放電を用いた大気圧化学イオン化源とすることができる。イオンの生成方法は、放射線源による放射線照射、電子や光、レーザー光の照射、ペニング放電、エレクトロスプレー等、他の方法であってもよい。イオン源１１で試料ガスから生成されたイオンは、質量分析部１３で質量分析される。質量分析部１３は、例えばワイヤー方式リニアイオントラップ質量分析計を用いることができる。質量分析の方法は、リニアイオントラップ質量分析計、四重極イオントラップ質量分析計、四重極フィルタ質量分析計、三連四重極質量分析計、飛行時間型質量分析計、磁場型質量分析計、イオンモビリティ等、他の方法であってもよい。質量分析部１３で計測された信号は、制御部１４で質量スペクトルとして計測される。この質量スペクトルから手製爆薬特有の質量数のピークを抽出する。データベース部１５には、手製爆薬物質を同定するために必要な標準質量分析データを含む情報が保持されている。保持されている情報には、イオンの質量数ｍをイオンの価数ｚで割った質量電荷比（ｍ／ｚ）の値と相対強度が含まれる。質量分析部１３で計測された質量スペクトルは、判定部１６に送られ、データベース部１５から読み出された手製爆薬のデータと照合する等のデータ処理がされて、手製爆薬物質の特定がなされる。
【００２４】
図３は、データベース１５が保持している情報の一例を示す説明図である。データベース１５には、検出対象である手製爆薬の成分物質、正イオン検出か負イオン検出かの種別、質量分析（ＭＳ）あるいはタンデム分析（ＭＳＭＳ）の種別、その手製爆薬成分由来のイオンの質量電荷比、その質量電荷比の範囲、検出と判断する閾値、他の手製爆薬成分由来のイオンとのＡＮＤ又はＯＲをとるか、あるいは夾雑成分由来のイオンとのＮＯＴをとるか等の情報が格納されている。特定された手製爆薬物質の有無、及び／又は質量分析の結果は、表示部７に表示される。表示部７は、例えば手製爆薬成分が検出された場合は赤ランプ、検出されない場合は青ランプを点灯し、閾値付近の場合には黄色ランプを点灯する。結果の表示方法はランプの点灯に限らず、表示部７の画面全体あるいは一部の表示状態を変化させる等でオペレータに検出の有無を認識させることができればよい。視覚的な表示ではなく、ブザー等の音で報知してもよい。また、何が検出されたかを文字あるいは色で表示してもよい。また、検出されたイオンの強度を棒グラフ、数字などで画面に表示してもよい。
【００２５】
図４は、本発明による手製爆薬検出の処理手順の一例を示す図である。被検体である容器を検査装置の容器載置部に置き（Ｓ１１）、手動あるいは自動で吸引ポンプによって蒸気あるいは微粒子を吸引する（Ｓ１２）。その蒸気あるいは微粒子を質量分析して質量スペクトルを測定する（Ｓ１３）。測定した質量スペクトルをデータベースと照合することで手製爆薬の有無、及び／又は質量分析の結果を表示させる（Ｓ１５，Ｓ１６）。
【００２６】
図５は、本実施形態の質量分析部の一例を示す図である。ここでは、質量分析部にワイヤー方式リニアイオントラップ質量分析計を用いた例を説明する。イオン源１１では、大気中のコロナ放電によって一次イオンを生成し、この一次イオンと試料ガスとの化学反応を利用して試料ガスをイオン化する。イオン源１１には針電極１８が配置され、引出電極１９との間に高電圧が印加され、針電極１８の先端付近にコロナ放電が発生する。例えば、正のイオン化では５ｋＶ、負のイオン化では−４ｋＶの電圧を印加した。このコロナ放電により、空気中の窒素、酸素、水蒸気などがイオン化され、一次イオンとなる。生成された一次イオンは電界により第１細孔電極２０ａ側に移動する。試料導入配管１７を介して吸引された試料ガスは、引出電極１９の開口部を通って針電極１８側に流れ込む。その際、一次イオンと反応することで、試料ガスはイオン化される。
【００２７】
イオン化された試料ガスのイオンは、第１細孔電極２０ａ、第１差動排気部２１ａ、第２細孔電極２０ｂ、第２差動排気部２１ｂ、第３細孔電極２０ｃを介して高真空部２１ｃのイオントラップ部２４に導入される。大気から真空までイオンを導入するには差動排気する。差動排気には真空ポンプ２２ａ、真空ポンプ２２ｂを使用した。真空ポンプ２２ｂは１台で２箇所の真空排気が可能である。真空ポンプ２２ａは、真空ポンプ２２ｂの粗引きポンプとしても使用した。差動排気の方法は、個別に真空ポンプを用いるなど、別の方法でもよい。それぞれの細孔の穴径は、例えば第１細孔電極２０ａの細孔は内径０．１２ｍｍ、長さ１０ｍｍ、第２細孔電極２０ｂの細孔は内径０．５ｍｍ、第３細孔電極２０ｃの細孔は内径１．２ｍｍとした。細孔の穴径は、真空ポンプの排気量に依存する。第２差動排気部２１ｂにはイオンガイド２３が設置されている。このイオンガイドに代えて、イオンレンズ等を用いてもよい。また、第１差動排気部２１ａ、第２差動排気部２１ｂ、高真空部２１ｃに、イオンガイドやイオンレンズ等を設置してもよい。イオン源１１や第１細孔電極２０ａ、第２細孔電極２０ｂは、内部に汚れ等が付着するのを防ぐために加熱したほうが望ましい。
【００２８】
イオントラップ部２４は、入口端電極２５ａ、出口端電極２５ｂ、四重極ロッド電極２６、四重極ロッド電極２６の間隙に挿入された励起電極２７、トラップワイヤー電極２８ａ、引き出しワイヤー電極２８ｂより構成される。イオントラップ部２４には、バッファーガス供給源３１から、イオントラップやイオン解離に必要なバッファーガスを供給する。本実施例ではヘリウムガスを用いたが、空気やアルゴン、窒素等でもよい。イオントラップ部２４に導入されたイオンは、軸方向の入口端電極２５ａとトラップワイヤー電極２８ａ間の静電ポテンシャルと径方向の四重極ロッド電極２６による四重極ポテンシャルによって図中に示したトラップ領域２９にイオンがトラップされる。四重極ロッド電極２６間に挿入された励起電極２７に交流電圧を印加すると、特定のｍ／ｚのイオンのみが励起電極２７方向に共鳴励起され、引き出しワイヤー電極２８ｂが形成する引き出し電界により軸方向に排出される。この特定のｍ／ｚのイオンを検出器３０で検出する。共鳴条件や各電極の電圧を制御部１４で制御して任意のｍ／ｚのイオンを排出することで、質量スペクトルが得られる。
【００２９】
１回の質量スペクトルの測定は、例えば１００ミリ秒で可能である。また、正イオンと負イオンを交互に測定することも可能である。具体的には、例えば正イオンを０．５秒で測定した後に、各電極を高速で負イオン検出用に切り替えることで負イオンを０．５秒で測定し、再び各電極を高速で正イオン検出用に切り替えて正イオンを測定する。これを繰り返すことで、正イオンの質量スペクトルと負イオンの質量スペクトルを測定する。その結果、１秒で正負両イオンの質量スペクトルを測定できる。切替速度は、さらに早くすることも可能である。また、正イオン（あるいは負イオン）の測定の際には、質量範囲が異なる質量スペクトルや、通常の質量スペクトルとタンデム質量スペクトルなどの複数のスペクトルを測定することもできる。これらの測定モードの切り替えや連続した測定は制御部１４の制御下に行われる。測定された質量スペクトルは、判定部１６に送られ、データベース部１５から読み出された手製爆薬のデータベースの情報と照合する等のデータ処理がされて、手製爆薬物質の特定がなされる。特定された手製爆薬物質の有無、及び／又は質量分析の結果は、表示部７に表示される。本実施例では質量分析部にワイヤー方式リニアイオントラップ質量分析計を用いたが、イオントラップ部２４が四重極イオントラップや四重極フィルタ、イオンモビリティ等の他の質量分析方法でもよい。
【００３０】
手製爆薬の成分で代表的な物質を本発明の検査装置で測定した。図６は、本発明の検査装置で測定されたトリアセトントリパーオキサイドの質量スペクトルの一例を示す図である。容器のフタ付近に数μｇのトリアセトントリパーオキサイド微粒子を付着させて、容器を本発明の検査装置にセットした。正イオン検出で、吸気部と試料導入配管は７０℃に、イオン源及び第１細孔電極は１２０℃に加熱した。ｍ／ｚ＝３３，４３，７５，７７の信号を検出した。トリアセトントリパーオキサイドの分子量（Ｍ）は２２２である。ｍ／ｚ＝７５は（Ｍ／３＋Ｈ）+と推定される。それ以外のｍ／ｚ＝３３，４３，７７はトリアセトントリパーオキサイドの分解物の信号である。すなわち、ｍ／ｚ＝３３，４３，７５，７７の中で少なくとも１つの信号が検出されたときにトリアセトントリパーオキサイドが検出されたものとする。また、ｍ／ｚ＝３３，４３，７５，７７の中で複数のピークが検出されたときトリアセトントリパーオキサイドが検出されたとすると、誤報が少なくなる利点がある。例えば、ｍ／ｚ＝７７のピークのみで検出を判断した場合、別の成分が偶然ｍ／ｚ＝７７のピークに検出されてしまうと誤報となってしまうが、別のピークのｍ／ｚ＝３３，４３，７５の少なくとも１つが同時に検出された場合に、トリアセトントリパーオキサイドが検出されたとすると誤報の可能性が低減される。
【００３１】
図７は、本発明の検査装置で測定されたヘキサメチレントリパーオキサイドジアミンの質量スペクトルの一例を示す図である。容器のフタ付近に数μｇのヘキサメチレントリパーオキサイドジアミン微粒子を付着させて、容器を本発明の検査装置にセットした。正イオン検出で、吸気部と試料導入配管は１００℃に、イオン源及び第１細孔電極は１２０℃に加熱した。ｍ／ｚ＝１４５，１７９，２０９の信号を検出した。ヘキサメチレントリパーオキサイドジアミンの分子量（Ｍ）は２０８である。ｍ／ｚ＝２０９は（Ｍ＋Ｈ）+と推定される。それ以外のｍ／ｚ＝１４５，１７９は、ヘキサメチレントリパーオキサイドジアミンの分解物の信号である。すなわち、ｍ／ｚ＝１４５，１７９，２０９の中で少なくとも１つの信号が検出されたときにヘキサメチレントリパーオキサイドジアミンが検出されたものとする。また、ｍ／ｚ＝１４５，１７９，２０９の中で複数のピークが検出されたときヘキサメチレントリパーオキサイドジアミンが検出されたとすると、誤報が少なくなる利点がある。例えば、ｍ／ｚ＝１４５のピークのみで検出を判断した場合、別の成分が偶然ｍ／ｚ＝１４５のピークに検出されてしまうと誤報となってしまうが、別のピークのｍ／ｚ＝１７９，２０９の少なくとも１つが同時に検出された場合に、ヘキサメチレントリパーオキサイドジアミンが検出されたとすると誤報の可能性が低減される。
【００３２】
図８は、本発明の検査装置により得られた手製爆薬の原料である過酸化水素の質量スペクトルの一例を示す図である。試料には３０％水溶液の過酸化水素を用いた。容器に過酸化水素を約１００ｍＬ入れて、フタを閉めて本発明の検査装置にセットした。負イオン検出で、吸気部と試料導入配管は７０℃に、イオン源及び第１細孔電極は１２０℃に加熱した。ｍ／ｚ＝６６，７７の信号を検出した。過酸化水素の分子量（Ｍ）は３４である。ｍ／ｚ＝６６は（Ｍ＋Ｏ2）-、ｍ／ｚ＝７７は（ＣＯ3ＯＨ）-と推定される。すなわち、ｍ／ｚ＝６６，７７の中で少なくとも１つの信号が検出されたときに過酸化水素が検出されたものとする。また、ｍ／ｚ＝６６，７７の中で複数のピークが検出されたとき過酸化水素が検出されたとすると誤報が少なくなる利点がある。例えば、ｍ／ｚ＝６６のピークのみで検出を判断した場合、別の成分が偶然ｍ／ｚ＝６６にピーク検出されてしまうと誤報となってしまうが、別のピークのｍ／ｚ＝７７が同時に検出された場合に、過酸化水素が検出されたとすると誤報の可能性が低減する。
【００３３】
（Ｂ）第二の実施の形態
以下、本発明の第二の実施の形態について説明する。本実施の形態では、検出された手製爆薬成分由来のイオンピークに対してタンデム質量分析し、解離した特有のフラグメントイオンを検出対象とした。容器内から漏洩してくる物質の濃度はきわめて薄いので、検出する装置には非常に高い感度が要求される。タンデム質量分析を行うと、バックグラウンドが低減されるため、高感度の測定が可能であり、本実施例に示したような容器内からの漏洩物の検出には特に有効である。
【００３４】
質量分析計において選択性を高める方法として、タンデム質量分析法が知られている。このタンデム質量分析法を実施する装置として、リニアイオントラップ質量分析計、四重極イオントラップ質量分析計、三連四重極質量分析計などがある。タンデム質量分析法では、２段階で質量分析を行う。１段目の質量分析としてイオン源で生成されたイオンのｍ／ｚを測定する。様々なｍ／ｚを有するイオンの中から特定のｍ／ｚを有するイオンを選択する（アイソレーション）。次に、選択されたイオン（プリカーサーイオン）を中性ガスなどとの衝突により解離させ、分解物イオン（フラグメントイオン）を生成する。そして、２段目の質量分析としてフラグメントイオンの質量分析を行う。プリカーサーイオンが解離する場合に、分子中のどの部位が切れるかは化学結合の強さに依存する。従って、フラグメントイオンを分析すると、プリカーサーイオンの分子構造の情報を含んだ質量スペクトルが得られる。つまり、イオン源で生成されたイオンにおいて、夾雑成分のｍ／ｚのイオンと、検出対象である手製爆薬成分の特定のｍ／ｚのイオンがイオンのｍ／ｚが偶然同じでも、フラグメントイオンの質量スペクトルを調べることで、手製爆薬成分が含まれているか否か判別できる。
【００３５】
リニアイオントラップ質量分析計、四重極イオントラップ質量分析計、三連四重極質量分析計によるタンデム質量分析法は広く知られているので、詳しい説明は省略する。タンデム質量分析法は、選択性が向上し誤探知を防ぐ効果だけでなく、極微量のガス成分の検出にも極めて有効である。つまり、プリカーサーイオンを解離させてフラグメントイオンを検出するため、解離によってケミカルノイズ等のバックグラウンドノイズを下げる効果がある。つまり、通常の質量分析ではバックグラウンドノイズに埋もれて検出できない極微量成分もバックグラウンドノイズが下がることで検出可能になる。
【００３６】
本実施例で用いたワイヤー方式リニアイオントラップ質量分析計によるタンデム質量分析の一例を図５で説明する。イオントラップ部２４に導入されたイオンは、軸方向の入口端電極２５ａとトラップワイヤー電極２８ａ間の静電ポテンシャルと径方向の四重極ロッド電極２６による四重極ポテンシャルによって、図中に示したトラップ領域２９にトラップされる。四重極ロッド電極２６間に挿入された励起電極２７に交流電圧を印加し、残したい特定のｍ／ｚのプリカーサーイオン以外を励起電極２７方向に共鳴励起して排除する（アイソレーション）。このとき複数の特定のｍ／ｚのイオンを残してもよい。残った特定のｍ／ｚのプリカーサーイオンに対して、四重極ロッド電極２６間に挿入された励起電極２７に交流電圧を印加し、励起させてイオントラップ内に供給された中性ガス（例えばヘリウムガス）に衝突させる。このとき励起させるエネルギーはイオントラップ内から外に排除されない程度のエネルギーにする。中性ガスに衝突した特定のｍ／ｚのプリカーサーイオンは解離され、フラグメントイオンが生成し、イオントラップ内にトラップされる。このフラグメントイオンを、四重極ロッド電極２６間に挿入された励起電極２７に交流電圧を印加し、引き出しワイヤー電極２８ｂが形成する引き出し電界により軸方向に排出する。この特定のｍ／ｚのフラグメントイオンを検出器３０で検出する。
【００３７】
共鳴条件や各電極の電圧を制御部１４で制御して任意のｍ／ｚのフラグメントイオンを排出することで、フラグメントイオンの質量スペクトルが得られる。このフラグメントイオンの質量スペクトルは、プリカーサーイオンの分子構造の情報を含んだ質量スペクトルである。このフラグメントイオンの質量スペクトルは判定部１６に送られ、データベース部１５から読み出された手製爆薬のデータベースと照合する等のデータ処理がされて、手製爆薬物質の特定がなされる。特定された手製爆薬物質の有無、及び／又は質量分析の結果は、表示部７に表示される。つまり、イオン源で生成されたイオンにおいて、夾雑成分のｍ／ｚのイオンと、検出対象である手製爆薬成分の特定のｍ／ｚのイオンとがイオンのｍ／ｚが偶然同じでも、フラグメントイオンの質量スペクトルを調べることで、吸引したサンプル中に手製爆薬成分が含まれているか否か判別できる。
【００３８】
具体的に手製爆薬をタンデム質量分析で検出する例を説明する。図９は、本発明の検査装置によりヘキサメチレントリパーオキサイドジアミンのタンデム質量分析した質量スペクトルの一例を示す図である。図９（Ａ）は、１段目の質量分析した質量スペクトルである。この質量スペクトルのｍ／ｚ＝１４５はヘキサメチレントリパーオキサイドジアミンの分解物の信号であり、手製爆薬由来の質量ピークである。このピーク以外のｍ／ｚのイオンは夾雑成分由来の信号と思われる。図９（Ｂ）は、プリカーサーイオンを選択的にイオントラップしたアイソレーション後の質量スペクトルである。手製爆薬由来のイオンであるｍ／ｚ＝１４５以外のイオンを励起電極２７で共鳴励起させて排除したものである。つまり、ｍ／ｚ＝１４５は手製爆薬由来のイオンであるプリカーサーイオンとなる。次に、手製爆薬由来のイオンであるｍ／ｚ＝１４５のイオン（プリカーサーイオン）を中性ガスなどとの衝突により解離させ、分解物イオン（フラグメントイオン）を生成する。図９（Ｃ）は、手製爆薬由来のイオンであるｍ／ｚ＝１４５のプリカーサーイオンを解離させたフラグメントイオンの質量スペクトルである。フラグメントイオントしてｍ／ｚ＝１１７の信号を検出した。ｍ／ｚ＝１１７はヘキサメチレントリパーオキサイドジアミンの分解物であるフラグメントイオンの信号である。つまり、ｍ／ｚ＝１４５のプリカーサーイオンを解離させて、ｍ／ｚ＝１１７のフラグメントイオンが検出された場合は、手製爆薬であるヘキサメチレントリパーオキサイドジアミンが検出されたと判断することができる。タンデム質量分析では通常の質量分析より、１０倍以上の感度と精度向上が可能である。
【００３９】
また、トリアセトントリパーオキサイドをタンデム質量分析した場合、例えばｍ／ｚ＝７５をプリカーサーイオンとして選択し、ｍ／ｚ＝７５以外を共鳴励起させて排除した。ｍ／ｚ＝７５のイオン（プリカーサーイオン）を中性ガスなどとの衝突により解離させ、分解物イオン（フラグメントイオン）を生成する。フラグメントイオントしてｍ／ｚ＝４８の信号を検出した。ｍ／ｚ＝４８はトリアセトントリパーオキサイドの分解物であるフラグメントイオンの信号である。つまり、ｍ／ｚ＝７５のプリカーサーイオンを解離させて、ｍ／ｚ＝４８のフラグメントイオンが検出された場合は、手製爆薬であるトリアセトントリパーオキサイドが検出されたと判断することができる。
【００４０】
図１０は、本発明の検査装置によって手製爆薬である過酸化水素のｍ／ｚ＝６６のイオンをタンデム質量分析した質量スペクトルの一例を示す図である。図１０（Ａ）は１段目の質量分析した質量スペクトルである。この質量スペクトルのｍ／ｚ＝６６は手製爆薬である過酸化水素由来の質量ピークである。ｍ／ｚ＝６６は（Ｍ＋Ｏ2）-と推定される。ｍ／ｚ＝６６をプリカーサーイオンとして選択し、ｍ／ｚ＝６６以外を共鳴励起させて排除した。ｍ／ｚ＝６６のイオン（プリカーサーイオン）を中性ガスなどとの衝突により解離させ、分解物イオン（フラグメントイオン）を生成する。図１０（Ｂ）は、手製爆薬由来のイオンであるｍ／ｚ＝６６のプリカーサーイオンを解離させたフラグメントイオンの質量スペクトルである。フラグメントイオントしてｍ／ｚ＝４８の信号を検出した。ｍ／ｚ＝４８は過酸化水素の分解物であるフラグメントイオンの信号である。つまり、ｍ／ｚ＝６６のプリカーサーイオンを解離させて、ｍ／ｚ＝４８のフラグメントイオンが検出された場合は、手製爆薬である過酸化水素が検出されたと判断することができる。
【００４１】
手製爆薬である過酸化水素の別のプリカーサーイオンをタンデム質量分析した例を説明する。図１１は本発明の検査装置によって過酸化水素のｍ／ｚ＝７７のイオンをタンデム質量分析した質量スペクトルの一例を示す図である。図１１（Ａ）は１段目の質量分析した質量スペクトルである。この質量スペクトルのｍ／ｚ＝７７は、手製爆薬である過酸化水素由来の質量ピークである。ｍ／ｚ＝７７は（ＣＯ3ＯＨ）-と推定される。ｍ／ｚ＝７７をプリカーサーイオンとして選択し、ｍ／ｚ＝７７以外を共鳴励起させて排除した。ｍ／ｚ＝７７のイオン（プリカーサーイオン）を中性ガスなどとの衝突により解離させ、分解物イオン（フラグメントイオン）を生成する。図１１（Ｂ）は、手製爆薬由来のイオンであるｍ／ｚ＝７７のプリカーサーイオンを解離させたフラグメントイオンの質量スペクトルである。フラグメントイオントしてｍ／ｚ＝６０の信号を検出した。ｍ／ｚ＝６０は過酸化水素の分解物であるフラグメントイオンの信号である。つまり、ｍ／ｚ＝７７のプリカーサーイオンを解離させて、ｍ／ｚ＝６０のフラグメントイオンが検出された場合は、手製爆薬である過酸化水素が検出されたと判断することができる。手製爆薬である過酸化水素の場合、プリカーサーイオンとしてｍ／ｚ＝６６、ｍ／ｚ＝７７のどちらか、又は両方を、同時又は片方ずつタンデム質量分析することで、検出できる確率が増え、さらに選択性が向上し誤探知を防ぐことが可能になる。
【００４２】
タンデム質量分析法は、選択性が向上し誤探知を防ぐ効果だけでなく、極微量のガス成分の検出にも極めて有効である。極微量の手製爆薬を検出した一例を説明する。図１２は、本発明の検査装置を用いて、容器に過酸化水素を入れてフタを固く閉めたものをタンデム質量分析で検出した一例を示す図である。手製爆薬である過酸化水素由来の質量ピークであるｍ／ｚ＝６６をプリカーサーイオンとして選択し、ｍ／ｚ＝６６以外を共鳴励起させて排除し、ｍ／ｚ＝６６を解離させ、ｍ／ｚ＝４８の過酸化水素の分解物であるフラグメントイオンを検出した。矢印は検査装置にセットしたときの信号変化である。検査装置にセットしてから約１秒での検出が確認できた。ｍ／ｚ＝４８のフラグメントイオンは、容器を検査装置にセットしたときだけ反応しており、確実に手製爆薬である過酸化水素由来のフラグメントイオンを検出できている。このフラグメントイオンを検出した場合に警報を発報する。
【００４３】
また、ペットボトルのフタを開封せずに内容物を手製爆薬である過酸化水素に入れ替えた場合に、未開封であるフタ部分から極微量の手製爆薬である過酸化水素のガス成分を検出した例を説明する。容器のフタを開封せずに注射器で穴をあけて内容物を取り出し、手製爆薬である過酸化水素を注射器で注入した。その後、注射器の穴を接着剤で密封したものである。この場合、フタが開封されていない為、外見的には未開封であるが内容物は入れ替えられている。そして、フタ部分から僅かに漏れる手製爆薬である過酸化水素のガス成分を検出する必要がある。
【００４４】
図１３は、本発明の検査装置を用いて未開封の容器に注射器で入れ替えた過酸化水素をタンデム質量分析で検出した例を示す図である。手製爆薬である過酸化水素由来の質量ピークであるｍ／ｚ＝６６をプリカーサーイオンとして選択し、ｍ／ｚ＝６６以外を共鳴励起させて排除し、ｍ／ｚ＝６６を解離させ、ｍ／ｚ＝４８の過酸化水素の分解物であるフラグメントイオンを検出した。矢印は検査装置にセットしたときの信号変化である。検査装置にセットしてから約１秒での検出が確認できた。ｍ／ｚ＝４８のフラグメントイオンは、容器を検査装置にセットしたときだけ反応しており、確実に手製爆薬である過酸化水素由来のフラグメントイオンを検出できている。このフラグメントイオンを検出した場合に警報を発報する。
【００４５】
（Ｃ）第三の実施の形態
複数の試料導入配管を使用して、それぞれの試料導入配管の温度を制御した本発明の検査装置の例を説明する。図１４は、検査装置に設置した複数の試料導入配管の一例を示す図である。細メッシュ状フィルタ１０及びイオン源１１以降の質量分析部等は、第一の実施の形態及び第二の実施の形態と同様である。容器のフタ付近の空気に含有されるガス及び微粒子は、吸引ポンプ１２によって吸気部５から吸引され、試料導入配管３２，３３を介してイオン源１１に導入される。試料導入配管３２は配管ヒータ３４で加熱され、試料導入配管３３は配管ヒータ３５で加熱される。各配管の温度は、検出するガス及び微粒子の特性に合わせて変化させることが可能である。例えば、配管ヒータ３４の加熱温度は７０℃、配管ヒータ３５の加熱温度は１２０℃に設定した。配管ヒータ３４は５０℃〜１２０℃で、配管ヒータ３５は１００℃〜１５０℃の温度範囲であればよい。図示していないが吸気部５はヒータで７０℃に加熱している。
【００４６】
試料導入配管３２は主にトリアセトントリパーオキサイドやニトログリセリンなどの高蒸気圧で分解しやすい物質を検出する際に用いる。これらの物質は高温の場合、熱分解してしまう恐れがあり、検出感度が得られない特性のものである。したがってトリアセトントリパーオキサイドやニトログリセリンなどに対して試料導入配管の温度は７０℃〜１２０℃が適切である。一方、試料導入配管３３は、主にヘキサメチレントリパーオキサイドジアミンなど前記したトリアセトントリパーオキサイドよりも熱分解しにくく低蒸気圧で、配管温度が低温の場合に配管内部に吸着してしまう物質に有効である。つまり、試料導入配管３３は、配管ヒータ３５で１２０℃に加熱されることで配管内部への爆薬成分の吸着を防ぐことができる。１２０℃以上であれば軍用爆薬のような低蒸気圧成分の検出も可能である。トリアセトントリパーオキサイドは配管温度が７０℃で検出感度が高く、配管温度が１２０℃では熱分解で検出感度が低くなる。一方、ヘキサメチレントリパーオキサイドジアミンは配管温度が１２０℃で検出感度が高いが、配管温度が７０℃では配管内部への吸着の影響で検出感度が低くなる。これらの物質を同時に検出できるようにするために７０℃で加熱された試料導入配管３２と１２０℃で加熱された試料導入配管３３を使用する。本実施例では一例として低温用と高温用の２種類を説明したが、さらに複数の配管を用いてもよい。
【００４７】
ヘキサメチレントリパーオキサイドジアミンを検出した場合、７０℃で加熱された試料導入配管３２の配管内部にガス又は微粒子が吸着してしまい汚れてしまう。この場合、次の検査が早期に行えるように加熱クリーニングする必要がある。このとき、前述とは逆の温度で設定する。つまり、７０℃であった配管ヒータ３４の設定温度を１２０℃、１２０℃であった配管ヒータ３５の設定温度を７０℃に設定して加熱する。これにより、配管ヒータ３４は１２０℃で加熱クリーニングされ、配管ヒータ３５は７０℃に降温されることになる。通常、加熱クリーニングする場合には、配管ヒータ３４と配管ヒータ３５の設定温度の両方を１２０℃以上、例えば１５０℃に加熱することが一般的である。しかし、その場合には昇温して降温する必要があり、時間がかかって、次の検査が早急に行えない。本実施例では、配管ヒータ３４と配管ヒータ３５の設定温度を逆転するだけで、配管ヒータ３４は昇温、配管ヒータ３５は降温のように同時に行い時間の短縮が可能となり、次の検査が早期に行えるようになった。
【００４８】
複数の試料導入配管だけでなく複数の吸気部を用いてもよい。図１５は、複数の吸気部と複数の試料導入配管を有する検査装置の一例を示す説明図である。容器のフタ付近の空気に含有されるガス及び微粒子は、吸気部５及び吸気部３６から試料導入配管３２と試料導入配管３３を介して、イオン源１１に導入される。図示していないが吸気部５はヒータで７０℃、吸気部３６は１２０℃に加熱している。試料導入配管だけでなく吸気部も加熱することで、より吸着や熱分解を防ぐことができた。本実施例では吸気部の配置は縦方向としたが、ガスや微粒子が効率的に吸引できる位置にあれば横方向などでもよい。また、吸気部の大きさも変化させてもよい。
【符号の説明】
【００４９】
１  検査装置
２  容器
３  検査部（大）
４  検査部（小）
５  吸気部
６  フタ合わせ位置マーク
７  表示部
８  粗メッシュ状フィルタ
９  配管ヒータ
１０  細メッシュ状フィルタ
１１  イオン源
１２  吸引ポンプ
１３  質量分析部
１４  制御部
１５  データベース部
１６  判定部
１７  試料導入配管
１８  針電極
１９  引出電極
２０ａ  第１細孔電極
２０ｂ  第２細孔電極
２０ｃ  第３細孔電極
２１ａ  第１差動排気部
２１ｂ  第２差動排気部
２１ｃ  高真空部
２２ａ  真空ポンプ
２２ｂ  真空ポンプ
２３  イオンガイド
２４  イオントラップ部
２５ａ  入口端電極
２５ｂ  出口端電極
２６  四重極ロッド電極
２７  励起電極
２８ａ  トラップワイヤー電極
２８ｂ  引き出しワイヤー電極
２９  トラップ領域
３０  検出器
３１  バッファーガス供給源
３２  試料導入配管
３３  試料導入配管
３４  配管ヒータ
３５  配管ヒータ
３６  吸気部
【図１】
2011085484.tif 000003
【図２】
2011085484.tif 000004
【図３】
2011085484.tif 000005
【図４】
2011085484.tif 000006
【図５】
2011085484.tif 000007
【図６】
2011085484.tif 000008
【図７】
2011085484.tif 000009
【図８】
2011085484.tif 000010
【図９】
2011085484.tif 000011
【図１０】
2011085484.tif 000012
【図１１】
2011085484.tif 000013
【図１２】
2011085484.tif 000014
【図１３】
2011085484.tif 000015
【図１４】
2011085484.tif 000016
【図１５】
2011085484.tif 000017